(57)【要約】【課題】防水層等が形成された屋根に、所定の取付け強度が確保しつつ簡便に架台を設置すると共に、漏水の危険性が少ない架台を提供することを目的とする。【解決手段】本発明の架台は、下地５０の外表面に上層５２、５４が敷設された屋根８０に、設備を設置するための架台であって、アンカー６０を挿通する挿通孔３６が形成されて、アンカー６０を挿通孔３６に挿通して上層５２、５４に打込むことにより、上層に固定される基板３０と、基板３０の上面全体を覆う防水シート５６と、基板３０に立てられて、防水シート５６を貫通して防水シート５６から突出し、設備を支持する支持柱２０と、支持柱２０に取付けられ、支持柱２０が貫通した防水シート５６の貫通孔５７の周辺端部５８を基板３０に向けて押圧する押え具４０と、を備えることを特徴とする。【選択図】図１
2011058216.tif 000002
【特許請求の範囲】
【請求項１】
下地の外表面に上層が敷設された屋根に、設備を設置するための架台であって、
アンカーを挿通する挿通孔が形成されて、前記アンカーを前記挿通孔に挿通して前記上層に打込むことにより、前記上層に固定される基板と、
前記基板の上面全体を覆う防水シートと、
前記基板に立てられて、前記防水シートを貫通して該防水シートから突出し、前記設備を支持する支持柱と、
前記支持柱に取付けられ、前記支持柱が貫通した前記防水シートの貫通孔の周辺端部を前記基板に向けて押圧する押え具と、
を備えることを特徴とする、架台。
【請求項２】
前記基板の下面に設けられ、前記上層に形成された挿通孔を通過して前記下地の外表面に到達し、前記下地の外表面上に直接前記基板を支持する柱状の基板支持部をさらに備えた、請求項１に記載の架台。
【請求項３】
前記基板支持部は、前記基板の下面に取付けられた高ナットと、前記高ナットに螺合するボルトとからなり、前記ボルトを回すことによって前記基板支持部の長さを変更可能にした、請求項２に記載の架台。
【請求項４】
前記防水シートは塩ビシートであり、
前記基板は塩ビ被覆されており、
前記基板の上面と前記塩ビシートの下面とを溶融することで、
前記基板と前記防水シートとを溶着する、請求項１に記載の架台。
【発明の詳細な説明】
【技術分野】
【０００１】
本発明は、屋根に設備を設置するための架台に関し、さらに詳しくは複数の層、例えば防水層や断熱層が敷設された屋根に太陽光発電装置等の設備を設置するための架台に関する。
【背景技術】
【０００２】
近年、地球環境問題に対する関心の高まりに伴い、既存のビルや工場の屋上に自然エネルギを利用した太陽光発電装置等の設備を設置するケースが増加している。そのため、屋根に太陽光発電装置を取付ける様々な方法が考案されてきた。例えば、特許文献１には、折板屋根にねじ止めされた固定台に取付けられる太陽光発電装置および取付け方法が示されている。また、特許文献２には、太陽光パネルと、太陽光パネルの端部に取付けられたカバー部材とカバー部材の一部が載置される固定用架台と、固定用架台に係止された状態でカバー部材および固定用架台を挟持する挟持部材とを備えた太陽光発電装置が開示されている。通常、特許文献１および２に示されるように、太陽光発電装置を屋根に設置する場合、太陽光発電装置の太陽光パネルはその傾斜角度の調整や取外しができるよう、架台やレール等を介して固定される。
【０００３】
図６に、従来の方法を用いて屋根に固定された架台１１０を示す。屋根１８０は押えコンクリート１５０上に断熱層１５２および防水層１５４が敷設されることにより防水処理されている。架台１１０はコンクリート製のブロックであり、従来は、架台１１０の上面から複数のアンカー１６０を押えコンクリート１５０に達するまで打込むことにより、架台１１０を屋根１８０に固定していた。
【先行技術文献】
【特許文献】
【０００４】
【特許文献１】特開２００１−２９５４３８号公報
【特許文献２】特開２００７−２６６４４６号公報
【発明の概要】
【発明が解決しようとする課題】
【０００５】
従来のように、屋根１８０の防水層１５４上に架台１１０を直接載置し、架台１１０をアンカー１６０を用いて固定すると、アンカー１６０が防水層１５４を貫通するので貫通孔１３０が形成される。そのため、架台１１０と防水層１５４との隙間から雨水等が浸水し、貫通孔１３０から断熱層１５２や押えコンクリート１５０まで漏水する危険性があった。また、架台１１０は防水層１５４上に直接的に配置されているので、経年により防水層１５４に損傷が発生し漏水につながるケースがあった。また、屋根の改修時において防水層１５４を再度敷設するには、架台１１０を一旦撤去するので施工に手間が掛かかるという課題があった。架台１１０を撤去せず防水層１５４を敷設する場合でも、防水層１５４を複数の架台１１０の位置や形状、寸法に合わせて、正確に加工しなくてはならず施工が困難になるという課題があった。
【０００６】
一方、特許文献１に開示された太陽光発電装置の取付け方法は、ねじ止めにより設備を折板屋根に固定する方法であり、また、特許文献２に開示された太陽光発電装置もボルト等を用いて架台を屋根に固定している。特許文献１または２に示された固定方法および装置においても、ねじやボルトを差し込む貫通孔を防水層に形成するので、従来の方法と同様、漏水する危険性があった。
【０００７】
そこで、本発明は、上述した課題を解決するために、防水層等が形成された屋根に、所定の取付け強度を確保しつつ簡便に架台を設置すると共に、漏水の危険性が少ない架台を提供することを目的とする。
【課題を解決するための手段】
【０００８】
上述の目的を達成するために、本発明に係る架台は、下地の外表面に上層が敷設された屋根に、設備を設置するための架台であって、アンカーを挿通する挿通孔が形成されて、前記アンカーを前記挿通孔に挿通して前記上層に打込むことにより、前記上層に固定される基板と、前記基板の上面全体を覆う防水シートと、前記基板に立てられて、前記防水シートを貫通して該防水シートから突出し、前記設備を支持する支持柱と、前記支持柱に取付けられ、前記支持柱が貫通した前記防水シートの貫通孔の周辺端部を前記基板に向けて押圧する押え具と、を備えることを特徴とする。
【０００９】
また、上述の目的を達成するために、本発明に係る架台は、前記基板の下面に設けられ、前記上層に形成された挿通孔を通過して前記下地の外表面に到達し、前記下地の外表面上に直接前記基板を支持する柱状の基板支持部をさらに備えたことを特徴とする。
【００１０】
また、上述の目的を達成するために、本発明に係る架台は、前記基板支持部が、前記基板の下面に取付けられた高ナットと、前記高ナットに螺合するボルトとからなり、前記ボルトを回すことによって前記基板支持部の長さを変更可能にしたことを特徴とする。
【００１１】
また、上述の目的を達成するために、本発明に係る架台は、前記防水シートは塩ビシートであり、前記基板は塩ビ被覆されており、前記基板の上面と前記塩ビシートの下面とを溶融することで、前記基板と前記防水シートとを溶着することを特徴とする。
【発明の効果】
【００１２】
上述した本発明に係る架台によれば、アンカーを用いて架台の基板を上層に取付けるので、充分な取付け強度を確保しつつ、架台を設置することができると共に、基板の上面全体を覆う防水シートにより、基板に形成された挿通孔を塞ぐので、雨水等の浸水を防止することができる。さらに、支持柱が貫通した防水シートの貫通孔の周辺端部を、支持柱に取付けられた押え具により押圧するので、防水シートのめくれを防止すると共に、支持柱と防水シートとの取り合い（接合部分）を保護し、漏水する危険性を減少させることができる。
【００１３】
また、本発明に係る架台によれば、下地の外表面に到達する基板支持部を備えることにより、架台や設備等からの荷重と経年とによって発生する上層のへこみを防止することができ、架台が傾くことなく設備を安定して設置することができる。
【図面の簡単な説明】
【００１４】
【図１】本発明に係る架台の第一実施形態を示した断面図である。
【図２】図１の架台を示す斜視図である。
【図３】図１の架台を屋根に固定し、太陽光発電装置を設置した状況を示す図である。
【図４】本発明に係る架台の第二実施形態を示した断面図である。
【図５】従来の架台の設置方法を示す図である。
【発明を実施するための形態】
【００１５】
（第一実施形態）
以下、本発明の架台の第一実施形態について、図を参照しながら説明する。図１は、本発明に係る架台１０の第一実施形態を示す断面図である。図２は、図１に示した架台１０の斜視図である。図３は、本実施形態の架台１０を屋根８０に固定し、太陽光発電装置８２を設置した状況を示す図である。
【００１６】
本実施形態に係る架台１０は、図３に示すように、屋根８０に太陽光発電装置８２を取付けるための架台である。屋根８０上には複数の架台１０が固定されており、さらにレール８４が複数の架台１０をわたって架設されている。そして太陽光発電装置８２は、屋根８０に対して所定の角度を保ちつつレール８４上に設置されている。
【００１７】
また、本実施形態の架台１０を設置する屋根８０は、図１に示すように、断熱露出防水工法により防水処理された屋根であって、押えコンクリート５０を下地とし、その外表面に断熱層５２（上層の一例）、さらにその外表面に塩ビシートからなる防水層５４（上層の一例）が敷設されている。本実施形態では下地を押えコンクリート５０としているが、下地はＲＣ（鉄筋コンクリート）、ＰＣ（プレキャストコンクリート）であっても構わない。
【００１８】
また、屋根８０は断熱層５２と塩ビシートからなる防水層５４とにより防水処理（塩ビシート防水）されているが、それ以外の防水処理、例えば、アスファルト防水、アスファルト断熱防水またはウレタン防水によって構築された屋根に対しても、本発明に係る架台を設置することができる。なお、太陽光発電装置８２や屋根８０の構造は一般的なものであるので、その詳細な説明は省略する。
【００１９】
架台１０の構成について説明する。架台１０は、図１および図２に示すように、防水層５４上に固定される基板３０と、基板３０の略中央において基板３０の上面に対して垂直に立てられレール８４等の設備を支持する支持柱２０と、基板３０の上面全体を覆う防水シート５６と、防水シート５６を押える押え具４０とから構成されている。なお、架台１０は耐久性、耐候性を考慮すると金属製であることが望ましく、本実施形態の架台１０はステンレス鋼により作製されている。以下、架台１０の構成要素について順に説明する。
【００２０】
基板３０は、図２に示すように、矩形の平面形状を有する板状の部材であり、複数本のアンカー６０により防水層５４上に固定されている。具体的には、基板３０の四隅に挿通孔３６が形成されており、アンカー６０を挿通孔３６に挿通して、アンカー６０を防水層５４に打込むことによって、基板３０は防水層５４に固定されている。アンカー６０の打込みは一例であり、挿通孔３６にビスを挿通してビス止めすることにより、基板３０を防水層５４に固定してもよい。
【００２１】
また、基板３０の中央にアンカー６０を挿通する挿通孔３７形成されている（図１参照）。アンカー６０を後述する支持柱固定部２５の中空部２５ａおよび挿通孔３７を挿通することにより、基板３０の中央においてアンカー６０を防水層５４に打込んでもよい。
【００２２】
機械固定方法による取付け強度について説明する。通常、一本のアンカー６０を打込むことにより、架台１０は３０００Ｎの荷重に対応することができる。そのため、４本のアンカー６０により架台１０を固定すれば、架台１０は１２０００Ｎまでの任意の荷重に対応することが可能である。また、基板３０の中央に一本のアンカー６０をさらに追加して５本とすれば、架台１０は１５０００Ｎまでの任意の荷重に対応することができる。
【００２３】
次に支持柱２０について説明する。前述のように支持柱２０は設備を支持する柱状の部材であって、基板３０の中央において、基板３０の上面に対し垂直に立てられている。本実施形態の支持柱２０は、設備が載置され直接的に設備に接触する天板２１と、天板２１の下面中央より下方に向けて設けられ、後述する支持柱本体２４に連結して天板２１を支持する天板支持部２２と、天板支持部２２の位置を固定する天板固定用ナット２３と、少なくとも両端部においてねじ切りされている支持柱本体２４と、基板３０の上面中央において、基板３０の上面に対し垂直に立てられている支持柱固定部２５とから構成されている。
【００２４】
天板２１は板状の部材であって、図２に示すように、本実施形態の天板２１は円形の平面形状を有する平板により形成されている。天板２１の平面形状は、特に限定されるものではなく、取付けられる設備に応じて変更されうる。
【００２５】
天板支持部２２は、天板２１を支持する部材であり、天板支持部２２はその上方端部において溶接により天板２１と接合している。天板支持部２２は、図１に示すように、中空部２２ａが形成された筒状の部材であり、天板支持部２２は、中空部２２ａにおいてねじ切りされた高ナットにより実現されている。そのため、天板支持部２２の下方端部に、支持柱本体２４の上方端部を螺合することにより、支持柱本体２４と連結することができる。また、架台１０が屋根８０に固定された後でも、天板支持部２２を回転することにより支持柱２０全体の高さＨ１を調整することが可能である。これにより、例えば、複数の架台１０をわたるレールを設置する場合、屋根８０が不陸であっても、支持柱２０の高さＨ１を調整することにより、天板２１の高さを揃えることができる。そして、支持柱２０の高さＨ１を調整した後、天板固定用ナット２３を締め付けることで、天板支持部２２の位置を固定する。
【００２６】
支持柱本体２４は、少なくとも両端部においてねじ切りされた柱状の部材であり、上方端部のねじ部を天板支持部２２の雌ねじに螺合し、下方端部のねじ部を後述する支持柱固定部２５の雌ねじに螺合して、天板支持部２２と支持柱固定部２５とを連結する。支持柱本体２４は図２に示すように、全体に亘ってねじ切りされてもよい。
【００２７】
支持柱固定部２５は、支持柱本体２４を支持する部材であり、基板３０の上面中央において、基板３０の上面に対し垂直に立てられている。支持柱固定部２５は、その下方端部において溶接により基板３０と接合している。支持柱固定部２５は、図１に示すように、中空部２５ａが形成された筒状部材であり、支持柱本体２４と連結するよう、中空部２５ａは雌ねじにねじ切りされている。そのため、支持柱本体２４の下方端部を、支持柱固定部２５の上方端部から中空部２５ａに螺合することにより、支持柱本体２４を固定することができる。
【００２８】
次に、防水シート５６について説明する。本実施形態の架台１０はアンカー６０により防水層５４上に固定された後、基板３０の上面に防水シート５６が貼付けられる。防水シート５６には、予め支持柱２０の支持柱固定部２５の外径と略同じ大きさの貫通孔５７が形成され、貫通孔５７に支持柱固定部２５を通して、防水シート５６が基板３０の上面に貼付けられている。防水シート５６が貼付けられた後、シール材５９が貫通孔５７の周辺端部、すなわち、支持柱固定部２５と基板３０との取り合い（接合部分）に塗布され、貫通孔５７からの浸水を防止する。シール材５９の材料は、例えば変性シリコンシールである。防水シート５６を基板３０の上面に貼付けることによって、防水シート５６が基板３０の四隅に形成され挿通孔３６を塞ぎ、アンカー６０によって形成された断熱層５２や押えコンクリート５０の孔への漏水を防止する。
【００２９】
防水シート５６は、基板３０の上面を完全に覆うように貼付けられている。特に、基板３０の端部から雨水が浸水しないよう、防水シート５６が基板３０からはみ出した部分においては、防水層５４と防水シート５６とを接着剤等を用いて完全に貼付ける。防水シート５６の大きさは、少なくとも基板３０の全体を覆い、パッチ張りすることが可能な大きさであればよい。防水シート５６を防水層５４と同様に屋根全体に敷設し、防水シート５６を新規の防水層として形成してもよい。
【００３０】
次に、押え具４０について説明する。押え具４０は、防水シート５６に形成された支持柱２０を通す貫通孔５７の周辺端部５８を、基板３０に向けて押圧する部材である。本実施形態の架台１０に設けられた押え具４０は、図１および図２に示すように、支持柱２０の支持柱固定部２５の外周を取り囲むように設けられた部材であって、押え具固定用ナット４１、テーパー部４２、筒部４３および鍔部４４により構成されている。
【００３１】
筒部４３は中空部４３ａが形成された円筒形の部材であり、中空部４３ａは支持柱固定部２５を完全に収容するよう形成されている。筒部４３の上方端部には、図１および図２に示すように、テーパー部４２が設けられている。テーパー部４２は、円錐台の形状を有し、その中央部には支持柱本体２４を挿通する挿通孔４２ａが形成されている。支持柱本体２４を挿通孔４２ａに通し、押え具固定用ナット４１を締め付けることにより、押え具４０を固定することができる。また、押え具固定用ナット４１によって、テーパー部４２と支持柱本体２４との間にできる隙間を塞ぎ、中空部４３ａへの浸水を防ぐことができる。
【００３２】
また、筒部４３の下方端部には、半径方向外側に向かって広がる鍔部４４が設けられている。押え具４０は鍔部４４を有することにより、より広い面積でもって防水シート５６の周辺端部５８を押圧することができ、中空部４３ａへの浸水を防止する。
【００３３】
押え具４０は、基板３０の上面に防水シート５６が敷設された後、支持柱固定部２５を押え具４０の中空部４３ａに収容して、テーパー部４２の挿通孔４２ａに支持柱本体２４を挿通して取付けられる。そして、押え具固定用ナット４１を締め付けることにより、押え具４０は支持柱２０に固定され、鍔部４４が防水シート５６の貫通孔５７の周辺端部を押圧する。これによって、押え具４０は防水シート５６のめくれ上がりを防ぐと共に、外部からの浸水を防止することができる。また、押え具４０は、支持柱固定部２５と防水シート５６との取り合いに塗布されたシール材５９（変性シリコンシール）を保護することができ、取り合いの水密性と耐久性を向上させる。
【００３４】
本実施形態に係る架台１０は、押え具４０を用いることによって、機械的に防水シート５６を押圧して浸水を防いでいる。そのため、次期の屋根改修工事においては、押え具４０を一旦、取り外して新規の防水層（または新規の防水シート）を敷設して、再度押え具４０を取付けるだけで、簡便且つ確実な防水処理をすることができる。
【００３５】
防水シート５６に塩ビシートを用いた場合の、架台１０の基板３０に防水シート５６を貼付ける方法について説明する。防水シート５６に塩ビシートを用いる場合、金属製の基板３０との接着力を確保するため、予め基板３０を塩ビフィルムまたは塩ビゾル（ペースト塩ビ）により被覆しておく。基板３０を塩ビ被覆することにより、基板３０と塩ビシートとの接着を、接着剤による接着方法か、溶剤により溶着する接着方法か、またはプレスによる接着方法を用いて行うことができる。本実施形態では、防水シート５６と基板３０とを、溶剤を用いて溶着させることにより貼付けている。また、パッチ張りにより防水シート５６を貼付ける場合、防水層５４と防水シート５６との取り合い（接合部分５５）は、塩ビ樹脂を溶剤により軟化させたシール材（カットバックしたシール材）を塗布することにより水密性を確保している。本実施形態では、塩ビシートと接着力を確保するために基板を塩ビ被覆しているが、防水シートが他の材料によるシートである場合は、その材料と接着力の高い材料で基板を被覆するのがよい。
【００３６】
架台１０を、上述のアンカー等を用いた固定工法に加えて、接着剤を用いた接着工法により固定してもよい。すなわち、架台１０の基板３０の下面に接着剤を塗布して防水層に直接貼付けて固定する。アンカー等を用いた固定工法のみでは、基板３０と防水層５４との間に隙間が発生する可能性があるが、接着工法を併用することによりその隙間を埋めることができ、漏水を防止することができる。
【００３７】
本実施形態は、アンカー等を用いた固定工法によって防水層５４に固定する架台１０であるが、屋根８０全体おいては、漏水に備え補修しやすい部位に本実施形態の架台１０を用い、他の部分においては、接着工法のみを用いて架台を防水層に固定してもよい。接着工法のみを用いて固定する場合はアンカー６０を打込むことがないので、防水層に孔を開ける箇所を減少させ漏水懸念を軽減することができる。
【００３８】
次に、屋根の改修時における施工方法について述べる。従来、屋根の改修時において防水層５４上に固定された架台は取り除かれるか、取り除かれない場合であっても防水層を架台の平面形状にあわせて加工する必要があった。本実施形態の架台１０を用いれば、屋根の改修時に、架台１０を屋根から取り除く必要がなく、防水シート５６の上から新規の防水層を敷設するか防水シートを貼付けることにより改修することができる。すなわち、改修する際、新規の防水層や防水シートの加工は支持柱２０を通す貫通孔を形成するだけでよく、新規の防水層や防水シートを敷設した後、押え具４０を用いて貫通孔の周辺端部を押圧するよう再度取付けるだけで改修することができる。そのため、従来のブロックからなる架台を屋根に固定した場合と比較すると容易に新規の防水層や防水シートを屋根に敷設することができる。
【００３９】
以上、第一実施形態に係る架台１０について、図１〜図３を用いて説明した。本実施形態の架台１０は、アンカー６０を用いて、防水層５４が敷設された屋根８０に強固に固定すると共に、架台１０の基板３０の上面に防水シート５６を貼付けることにより、アンカー６０を打込むことにより形成された孔からの浸水を防止している。また、基板３０に立てられた支持柱２０により設備を取付けることから、防水シートに所定の大きさの貫通孔を形成するだけでよく、従来のブロックからなる架台と比較して施工性を向上させている。また、支持柱２０に押え具４０を設けて、防水シート５６の貫通孔５７の周辺端部５８を押圧することにより、外部からの浸水を防止すると共に、押え具４０は防水シート５６と支持柱２０の取り合いに塗布したシール材５９を保護することができ、取り合いの水密性および耐久性を向上させる。
【００４０】
（第二実施形態）
次に、本発明による第二実施形態について、図４を用いて説明する。以下、第二実施形態の架台１１について、上述した第一実施形態の架台１０との相違点を中心に説明する。
【００４１】
図４は、第二実施形態の架台１１を示した断面図である。
【００４２】
本実施形態の架台１１は、第一実施形態の架台１０と比較すると、基板３０の下面に、基板支持部７０をさらに備えていることが異なっている。他の構成要素は、架台１０と同じであるので、その詳細な説明は省略する。
【００４３】
本実施形態の架台１１は、第一実施形態の架台１０と同様に、防水層５４にアンカー６０を打込むことで固定される架台であり、基板３０と、基板３０に立てられた支持柱２０と基板３０の上面に貼付けられた防水シート５６と、支持柱２０に取付けられた押え具４０とを備え、押え具４０は防水シート５６を押圧している。
【００４４】
本実施形態の架台１１は、さらに基板３０の下面に基板支持部７０を備えていることが第一実施形態の架台１０と異なっている。
【００４５】
断熱層５２は通常、発泡材などから形成されており荷重が掛かると、経年によりへこみが発生する危険性がある。特に、設備等が取付けられた架台が屋根上に固定された場合、通常より大きい荷重が掛かるので、へこみが発生しやすく、架台が傾く危険性があった。そのため、太陽光パネルの傾斜角度が変化して正常に太陽光発電装置が稼働しなくなる可能性がある。
【００４６】
本実施形態の架台１１は、上述の課題に対応するため、基板３０の下面にへこみ防止用の基板支持部７０を備えている。すなわち、へこみの発生は、断熱層５２が設備の荷重によって圧縮されることが主な原因であることから、本実施形態の架台１１は、圧縮され難い押えコンクリート５０に荷重の一部を掛けることにより、断熱層５２のへこみを防止している。具体的には、防水層５４と断熱層５２とを貫通する挿通孔７６を下地である押えコンクリート５０の外表面５０ａまで形成する。そして、基板３０の下面から下方に向けて設けられた柱状の基板支持部７０を挿通孔７６に通過させて、基板支持部７０の下方端部を押えコンクリート５０の外表面５０ａに到達させる。これにより、基板支持部７０が、押えコンクリート５０の外表面５０ａ上から直接基板３０すなわち架台１１を支持するようになる。
【００４７】
下地である押えコンクリート５０は、設備の荷重により圧縮され難いので、押えコンクリート５０により支持された架台１１は押えコンクリート５０の外表面５０ａから一定の高さＨ２（＝基板支持部７０の長さＬ）に維持することができる。
【００４８】
なお、架台１１を屋根に固定する際、予めドリルを用いて基板支持部７０を挿通するための挿通孔７６を、防水層５４と断熱層５２とに形成しておく。その際、防水層５４を貫通する孔が形成されるが、アンカーを挿通する孔と同様、固定後に基板３０に貼付けられる防水シート５６によって塞がれるので、雨水等が浸水する危険性は低い。
【００４９】
次に、基板支持部７０の構成について説明する。本実施形態の架台１１に取付けられた基板支持部７０は、高ナット７２とボルト７４とにより構成されている。高ナット７２とボルト７４とで構成することにより、基板支持部７０の長さＬを変更可能にしている。高ナット７２は、その中空部７３を基板３０に形成された挿通孔３８に合わせて、基板３０の下面から下方に延びるよう固定されており、高ナット７２の上方端部と基板３０の下面とは溶接により接合されている。ボルト７４は、その上部に六角穴７５が形成された頭部のないボルトであって、高ナット７２の下方端部において螺合している。ボルト７４の上部に六角穴７５を設けることで、基板３０を防水層５４に固定した後あっても、基板３０の上方から挿通孔３８および高ナット７２の中空部７３に六角レンチを挿入して、ボルト７４を回すことにより、基板支持部７０の長さＬを調整することができる。
【００５０】
屋根によって、断熱層および防水層の厚さＨ２も異なり、必要とする基板支持部７０の長さＬも異なる。本実施形態の基板支持部７０はボルト７４を回すことによって長さを変更可能であり、架台１１をアンカーにより固定した後も、長さＬを調整してボルト７４の下方端部を押えコンクリート５０の外表面５０ａに接触させ、確実に荷重を押えコンクリート５０に掛けることができる。
【００５１】
以上、代表的な実施形態を挙げて本発明の架台について説明した。しかしながら、本発明はこの実施形態のみに限定されるものではなく、例えば、実施形態において架台の基板は矩形の平面形状を有していたが、基板は円形の平面形状を有してもよい。また、本実施形態の基板支持部は高ナットとボルトから構成されその長さが調整可能であるが、防水層と断熱層と厚さが予め定められている場合は、長さが固定された金属製の棒を基板の底面に溶接することにより実現してもよい。また、図では一つの基板支持部により基板を支持していたが、複数の基板支持部が基板の下面に設けられて、複数の基板支持部によって基板を支持してもよい。
【符号の説明】
【００５２】
１０、１１    架台
２０    支持柱
２１    天板
２２    天板支持部
２３    天板固定用ナット
２４    支持柱本体
２５    支持柱固定部
３０    基板
３６、３７、３８    挿通孔
４０    押え具
４１    押え具固定用ナット
４２    テーパー部
４３    筒部
４４    鍔部
５０    押えコンクリート
５２    断熱層
５４    防水層
５６    防水シート
５７    貫通孔
６０    アンカー
７０    基板支持部
７２    高ナット
７４    ボルト
８０    屋根
８２    太陽光発電装置
８４    レール
【図１】
2011058216.tif 000003
【図２】
2011058216.tif 000004
【図３】
2011058216.tif 000005
【図４】
2011058216.tif 000006
【図５】
2011058216.tif 000007